(57)【要約】【課題】袋体内に充填物を充填した被覆体により水底の底質を被覆するにあたり、その袋体が、日光の紫外線による劣化や、袋体に接触する接触物による破損がなされないように保護し、長期に亘り安定的に水底の底質からの汚染物質の拡散を防止することが可能な被覆工法及び被覆工法構造を提供する。【解決手段】被覆工法は、遮水性を有する充填材１４を袋体１２に充填して底質３０の表面に敷設し、袋体１２の上に、袋体１２を保護する保護シート１６を被せる。【選択図】図１
2007247294.tif 000002
【特許請求の範囲】
【請求項１】
水底を構成する底質を覆う底質の被覆工法であって、
遮水性を有する充填材を袋体に充填して前記底質表面に敷設し、前記袋体の上に、前記袋体を保護する保護体を被せることを特徴とする被覆工法。
【請求項２】
前記充填材として、前記底質表面の変形に追随して変形し得る材料を用いることを特徴とする請求項１に記載の被覆工法。
【請求項３】
前記袋体として、透水性及び通気性を有し、かつ、前記充填材は通さない材料を用いることを特徴とする請求項１又は２に記載の被覆工法。
【請求項４】
前記保護体として、遮光性を有する遮光シートを用いることを特徴とする請求項１〜３のいずれかに記載の被覆工法。
【請求項５】
前記保護体として、前記袋体に接触する接触物から、前記袋体を防護するのに充分な強度を有する防護シートを用いることを特徴とする請求項１〜４いずれかに記載の被覆工法。
【請求項６】
前記充填材として、スラリー状のベントナイトを用いることを特徴とする請求項１〜５のいずれかに記載の被覆工法。
【請求項７】
前記充填材として、砂と、ベントナイトと、水と、水ガラスとを混合してなる変形追随遮水材を用いることを特徴とする請求項１〜５のいずれかに記載の被覆工法。
【請求項８】
前記充填材として、珪砂と、ベントナイトと、水と、水ガラスとを混合してなる変形追随遮水材を用いることを特徴とする請求項１〜５のいずれかに記載の被覆工法。
【請求項９】
水底を構成する底質を覆う底質の被覆構造であって、
遮水性を有する充填材を袋体に充填して前記底質表面に敷設し、前記袋体の上に、前記袋体を保護する保護体を設けてなることを特徴とする被覆構造。
【発明の詳細な説明】
【技術分野】
【０００１】
本発明は、水底を構成する底質の被覆工法及び被覆構造に関する。
【背景技術】
【０００２】
従来より、河川や湖沼、又は臨海における底質に、例えば、汚泥やヘドロなどの汚染物質が堆積する場合、それら汚染物質の拡散を抑制する措置として、特許文献１又は２に記載されるような、汚染された底質表面を被覆する技術が提案されている。
【０００３】
特許文献１には、水底に堆積するヘドロ層を、袋体に細粒土を包含したマット部材で覆い、このマット部材に水生植物を植生させるヘドロ層の被覆構造が開示されている。
【０００４】
また、特許文献２には、透水性布地からなる袋体を水中に投入し、この透水性布地にベントナイト混合土を充填して、底質表面に沈設する被覆工法が開示されている。
【特許文献１】特開平１１−３６２５９号公報
【特許文献２】特開２００４−１９７４２５号公報
【発明の開示】
【発明が解決しようとする課題】
【０００５】
しかしながら、特許文献１や２に記載される技術では、袋体へ日光が照射する程度に水深が浅かったり、水の透明度が高かったりする場合、この袋体を長期間に亘って使用してしまうと、袋体を構成する材料が、日光の紫外線によって劣化を生じて脆くなり、ひいては、破損するおそれがある。
【０００６】
また、例えば、急流河川や、波の往来が激しい臨海などの水流が速い所に、充填材を充填された袋体を敷設した場合、その水流によって流され運ばれる岩石や砂などが、袋体に接触して破損させるおそれがある。
【０００７】
このように、袋体が破損してしまうと、袋体に充填される充填物が袋体の外に放出されてしまい、充填物の放出量が大量になると、汚染物質の拡散防止効果が低下するおそれもあり、底質からの汚染物質の拡散を長期に亘り安定的に防止することができない。
【０００８】
本発明は上記の点に鑑みてなされたものであり、袋体内に充填物を充填した被覆体により水底の底質を被覆するにあたり、その袋体が、日光の紫外線による劣化や、袋体に接触する接触物による破損がなされないように保護し、長期に亘り安定的に水底の底質からの汚染物質の拡散を防止することが可能な被覆工法及び被覆工法構造を提供することを目的とする。
【課題を解決するための手段】
【０００９】
上記の目的を達成するため、本発明は、水底を構成する底質を覆う底質の被覆工法であって、
遮水性を有する充填材を袋体に充填して前記底質表面に敷設し、前記袋体の上に、前記袋体を保護する保護体を被せることを特徴とする（第１の発明）。
【００１０】
本発明による被覆工法によれば、充填材を充填されて底質表面に敷設された袋体の上に、保護体を被覆して袋体を保護することにより、袋体の耐用期間を長期化できるため、長期に亘り安定的に水底の底質からの汚染物質の拡散を防止できる。
【００１１】
第２の発明は、第１の発明において、前記充填材として、前記底質表面の変形に追随して変形し得る材料を用いることを特徴とする。
【００１２】
本発明による被覆工法によれば、例えば、施工後底質が不等沈下などの底質表面に変形が生じた場合、充填材はその変形に追随して底質表面に接地して底質からの汚染物質の拡散を防止するため、防止性を維持できる。
【００１３】
第３の発明は、第１又は２の発明において、前記袋体として、透水性及び通気性を有し、かつ、前記充填材は通さない材料を用いることを特徴とする。
【００１４】
本発明による被覆工法によれば、充填材内に気泡や余分な水分が混入していても、それらの気泡や水分は、充填材を袋体へ充填する際に、袋体の外に放出されるため、袋体内に充填材を隙間なく充填できる。
【００１５】
第４の発明は、第１〜３のいずれかの発明において、前記保護体として、遮光性を有する遮光シートを用いることを特徴とする。
【００１６】
本発明による被覆工法によれば、保護体に遮光シートを用いることにより、日光の紫外線の照射による袋体の劣化破損を抑制できるため、長期に亘って安定的に水底の底質からの汚染物質の拡散を防止できる。
【００１７】
第５の発明は、第１〜４のいずれかの発明において、前記保護体として、前記袋体に接触する接触物から、前記袋体を防護するのに充分な強度を有する防護シートを用いることを特徴とする。
【００１８】
本発明による被覆工法によれば、保護体に防護シートを用いることにより、袋体は、流石や流砂による袋体の破損から防護できるため、長期に亘って安定的に水底の底質からの汚染物質の拡散を防止できる。
【００１９】
第６の発明は、第１〜５のいずれかの発明において、前記充填材として、スラリー状のベントナイトを用いることを特徴とする。
【００２０】
第７の発明は、第１〜５のいずれかの発明において、前記充填材として、砂と、ベントナイトと、水と、水ガラスとを混合してなる変形追随遮水材を用いることを特徴とする。
【００２１】
第８の発明は、第１〜５のいずれかの発明において、前記充填材として、珪砂と、ベントナイトと、水と、水ガラスとを混合してなる変形追随遮水材を用いることを特徴とする。
【００２２】
第９の発明は、水底を構成する底質を覆う底質の被覆構造であって、遮水性を有する充填材を袋体に充填して前記底質表面に敷設し、前記袋体の上に、前記袋体を保護する保護体を設けてなることを特徴とする。
【発明の効果】
【００２３】
本発明によれば、袋体内に充填物を充填した被覆体により水底の底質を被覆するにあたり、その袋体が、日光の紫外線による劣化や、袋体に接触する接触物による破損がなされないように保護し、長期に亘り安定的に水底の底質からの汚染物質の拡散を防止することが可能な被覆工法及び被覆工法構造を提供できる。
【発明を実施するための最良の形態】
【００２４】
以下、本発明の好ましい一実施形態について図面に基づき詳細に説明する。
【００２５】
図１は、本実施形態に係る被覆方法によって、水層２０の底にあるヘドロなどの底質３０の表面に施工される被覆構造１０の一例を示す断面図である。
【００２６】
本実施形態に係る被覆方法は、底質３０中の汚染物質が水層２０に拡散するのを防止するために、例えば、河川や湖沼、又は臨海などの、施工可能な水深に位置する底質３０に適用できる。
【００２７】
図１に示すように、被覆構造１０は、水層２０の底にある底質３０の表面に、充填材１４を充填した袋体１２を敷設し、敷設された袋体１２の上面に、保護シート１６を被せる被覆方法により施工される。
【００２８】
袋体１２には、透水性及び通気性を有し、かつ、充填材１４の粒子は通さない材料からなり、例えば、布製のものを用いる。
【００２９】
図２は、袋体１２の構造の一例を示す斜視図である。同図に示すように、袋体１２には、周囲と閉ざされる袋状の内部に、この袋の上下を連結してそれ以上膨らまないように制限する連結糸１８が設けられる。これにより、例えば、充填管１９から充填材１４を充填する際に、充填材１４が一定の厚みになって充填される。また、袋体１２の水平方向の大きさ及び形状は、底質３０の面積や領域形状などの条件によって変更可能なように、例えば、１０ｍ×５ｍの長方形のブロック単位で形成され、それらブロックを水平方向に繋ぎ合わせることによって施工される。また、それらブロック同士間の接続は、遮水性を持たせるために、施工時に密着させて設置し、離脱しないように、例えば、マジックテープ（登録商標）を用いた貼りあわせや、縫合によって接合し、充填材１４を充填後、その接合部の隙間にシーリング材などを用いてシーリングする。
【００３０】
また、充填材１４には、好ましくは、透水係数が１０−７ｃｍ／ｓ以下の遮水性と、底質３０の表面の変形に追随し得る変形追随性とを備えるものを用いる。充填材１４の透水係数が１０−７ｃｍ／ｓ以下であれば、充填材１４の厚みを１０ｃｍ程に設定すれば、底質３０からの汚染物質の拡散を防止できる。具体的に、充填材１４として、ベントナイトをスラリー状にしたものを用いる。また、充填材１４として、砂又は珪砂、及びベントナイトをドライミックスし、これに水を加えて攪拌するとともに、水ガラスを加えてゲル状に改質した変形追随遮水材を用いてもよい。このような変形追随材によれば、ベントナイトが含まれることにより、遮水性が高くなり、１０−７ｃｍ／ｓ以下の遮水性が得られるとともに、硬化材が含まれていないので、変形追随性を長期に亘って維持できる。
【００３１】
また、充填材１４を充填した袋体１２を、底質３０の表面に敷設する際には、例えば、袋体１２を水層２０の水面又は水中に配置し、袋体１２内に充填材１４を充填した後、沈下させて底質３０の表面に敷設してもよく、また、袋体１２を予め底質３０の表面に沈設しておき、その後、袋体１２内に充填材１４を充填することで敷設してもよい。
【００３２】
保護シート１６には、遮光性を有するとともに、例えば、流石や流砂などの袋体１２を破損させる接触物から、袋体１２を防護するのに充分な強度を有するものであることが好ましく、例えば、黒色に染色された強化繊維からなる不織布などを用いる。
【００３３】
また、袋体１２の上から保護するものとして、保護シート１６などのシート状のものに限ることなく、例えば、プレキャストのコンクリートパネルなど板状のものでも、袋体１２の上面を遮光や保護できるものであればよい。
【００３４】
以上説明したように、本実施形態による被覆方法及び被覆構造１０によれば、充填材１４を充填されて底質３０の表面に敷設された袋体１２の上に、保護シート１６を被覆して袋体１２を保護することにより、袋体１２の耐久性を向上させることができるため、長期に亘り安定的に底質３０からの汚染物質の拡散を防止できる。特に、保護シート１６として、例えば、黒色の強化繊維からなる不織布などの遮光性及び防護性を有するシートを用いることにより、日光の紫外線の照射による袋体１２の劣化や、接触物による破損を抑制することができるので、より長期に亘って底質３０からの汚染物質の拡散を防止できる。
【００３５】
また、本実施形態による被覆方法及び被覆構造１０によれば、充填材１４として、底質３０の表面の変形に追随し得る材料である、スラリー状のベントナイトや変形追随遮水材（砂又は珪砂、及びベントナイトをドライミックスし、これに水を加えて攪拌するとともに、水ガラスを加えてゲル状に改質したもの）を用いることにより、底質３０が、例えば、ヘドロや汚泥が堆積したような軟弱地盤で、施工後、底質３０の表面に不等沈下などの変形が生じた場合でも、充填材１４はその変形に追随して底質３０に接触した状態を保てるため、汚染物質の拡散の防止性を維持できる。
【００３６】
また、本実施形態による被覆方法及び被覆構造１０によれば、袋体１２として、透水性及び通気性を有し、かつ、充填材１４は通さない、例えば、布製のものを用いることにより、充填材１４内に気泡や余分な水分が混入していても、それらの気泡や水分は、充填材１４を袋体１２へ充填する際に、袋体１２の外に放出されるため、袋体１２内に充填材１４を隙間なく充填できる。
【図面の簡単な説明】
【００３７】
【図１】本実施形態に係る被覆方法によって底質の表面に施工される被覆構造の一例を示す断面図である。
【図２】本実施形態に係る袋体の構造の一例を示す斜視図である。
【符号の説明】
【００３８】
１０  被覆構造
１２  袋体
１４  充填材
１６  保護シート
１８  連結糸
２０  水層
３０  底質
【図１】
2007247294.tif 000003
【図２】
2007247294.tif 000004